(57)【要約】 【課題】  消費電力の測定装置および方法を提供する。【解決手段】  測定装置であって、交流（ＡＣ）電源を受け、前記ＡＣ電源を直流（ＤＣ）電源に変換する電源制御器、ＤＣ電源を検出し、電圧値および電流値を生成する検出器、前記測定装置の環境温度を感知する温度センサ、および前記電圧値、前記電流値、および前記環境温度を読み取り、前記電圧値、前記電流値、および前記環境温度に基づいて前記電源制御器の効率係数を得て、前記効率係数に基づいて前記ＡＣ電源に対応する実際の消費電力量を得る処理器を含む測定装置。【選択図】  図２
2013221944.tif 000002
【特許請求の範囲】
【請求項１】
測定装置であって、
交流（ＡＣ）電源を受け、前記ＡＣ電源を直流（ＤＣ）電源に変換する電源制御器、
ＤＣ電源を検出し、電圧値および電流値を生成する検出器、
前記測定装置の環境温度を感知する温度センサ、および
前記電圧値、前記電流値、および前記環境温度を読み取り、前記電圧値、前記電流値、および前記環境温度に基づいて前記電源制御器の効率係数を得て、前記効率係数に基づいて前記ＡＣ電源に対応する実際の消費電力量を得る処理器を含む測定装置。
【請求項２】
前記処理器は、前記電圧値および前記電流値に基づいて推定の消費電流量を計算し、前記推定の消費電流量および環境温度に基づいてデータベースに対して検索操作を行い、前記効率係数を得るデータベースを更に含み、且つ
前記処理器は、前記効率係数および前記推定の消費電流量に基づいて前記実際の消費電力値を計算する請求項１に記載の測定装置。
【請求項３】
複数の参照消費電力量、複数の参照環境温度、および複数の参照効率係数を保存し、前記参照消費電力量の１つおよび前記参照環境温度の１つは、前記参照効率係数の１つに共同して対応するデータベースを更に含み、
前記処理器は、前記電圧値および前記電流値に基づいて推定の消費電流量を計算し、
前記処理器は、前記推定の消費電力量が第１の参照消費電力量と第２の参照消費電力量の間にあることを判定し、且つ前記第２の参照消費電力量は、前記第１の参照消費電力量より大きく、
前記処理器は、前記環境温度が第１の参照環境温度と第２の参照環境温度の間にあることを判定し、且つ前記第１の参照環境温度は、前記第２の参照環境温度より高く、
前記処理器は、前記データベースに対して検索操作を行い、前記第１の参照消費電力量および前記第１の参照環境温度に対応する前記参照効率係数を見つけ、第１の推定の効率係数としてサーブし、且つ前記第２の参照消費電力量および前記第１の参照環境温度に対応する参照効率係数を見つけ、第２の推定の効率係数としてサーブし、
前記処理器は、前記データベースに対して前記検索操作を行い、前記第１の参照消費電力量および前記第２の参照環境温度に対応する前記参照効率係数を見つけ、第３の推定の効率係数としてサーブし、且つ前記第２の参照消費電力量および前記第２の参照環境温度に対応する参照効率係数を見つけ、第４の推定の効率係数としてサーブし、
前記処理器は、ρ＝ρ１＋（ρ２−ρ１）×（Ｐ−Ｐｆ１）に基づいて第１の中間値の効率係数および中間値の効率係数を計算し、Ｐは、推定の消費電流量を表し、Ｐｆ１は第１の参照消費電力量を表し、
前記処理器が前記第１の中間値を計算する時、ρ１は第１の推定の効率係数を表し、ρ２は前記第２の推定の効率係数を表し、且つ前記処理器が前記第２の中間値の効率係数を計算する時、ρ１は第３の推定の効率係数を表し、ρ２は前記第４の推定の効率係数を表し、
前記処理器は、ρｒｅａｌ＝（ρｔｆ１＋ρｔｆ２）×（Ｔｆ１−Ｔ）／（Ｔｆ１−Ｔｆ２）に基づいて前記効率係数を計算し、ρｒｅａｌは、前記効率係数を表し、ρｔｆ１は、前記第１の中間値の効率係数を表し、ρｔｆ２は、前記第２の中間値の効率係数を表し、Ｔｆ１は、前記第１の参照環境温度を表し、Ｔｆ２は、第２の参照環境温度を表し、且つＴは、環境温度を表し、且つ
前記処理器は、Ｐｒｅａｌ＝Ｐ／ρｒｅａｌに基づいて前記実際の消費電力量を計算し、Ｐｒｅａｌは、前記実際の消費電力量を表している請求項１に記載の測定装置。
【請求項４】
電子機器の消費電力量を測定する測定方法であって、前記電子機器は、交流（ＡＣ）電源から変換された直流（ＤＣ）電源によって作動され、前記測定方法は、  前記ＤＣ電源を検出し、電圧値および電流値を生成するステップ、
環境温度を感知するステップ、
前記電圧値、前記電流値、および前記環境温度に基づいて効率係数を得るステップ、および
前記効率係数に基づいて前記ＡＣ電源に対する実際の消費電力量を得るステップを含む測定方法。
【請求項５】
前記効率係数を得るステップは、
前記電圧値および前記電流値に基づいて推定の消費電力量を計算するステップ、および
前記推定の消費電力量および前記環境温度に基づいて、データベースに対して検索操作を行い、前記効率係数を得るステップを含み、且つ
前記効率係数に基づいて前記ＡＣ電源に対する前記実際の消費電力量を得るステップは、
前記効率係数および前記推定の消費電力量に基づいて、前記実際の消費電力量を計算するステップを含む請求項４に記載の測定方法。
【請求項６】
前記効率係数および前記推定の消費電力量に基づいて、前記実際の消費電力量を計算するステップでは、前記実際の消費電力量は、Ｐｒｅａｌ＝Ｐ／ρｒｅａｌに基づいて計算され、
Ｐｒｅａｌは、前記実際の消費電力量を表しており、Ｐは、前記推定の消費電力量を表しており、ρｒｅａｌは、前記効率係数を表している請求項５に記載の測定方法。
【請求項７】
前記効率係数を得るステップは、
前記電圧値および前記電流値に基づいて推定の消費電力量を計算するステップ、
前記推定の消費電力量および前記環境温度に基づいて、データベースに対して検索操作を行い、第１の推定の効率係数、第２の推定の効率係数、第３の推定の効率係数、および第４の推定の効率係数を得るステップ、および
前記第１、第２、第３、および第４の推定の効率係数に基づいて効率係数を計算するステップを含み、且つ
前記効率係数に基づいて前記ＡＣ電源に対する前記実際の消費電力量を得るステップは、
前記効率係数および前記推定の消費電力量に基づいて、前記実際の消費電力量を計算するステップを含む請求項４に記載の測定方法。
【請求項８】
前記データベースは、複数の参照消費電力量、複数の参照環境温度、および複数の参照効率係数を保存し、前記参照消費電力量の１つおよび前記参照環境温度の１つは、前記参照効率係数の１つに共同して対応し、
前記推定の消費電力量および前記環境温度に基づいて、データベースに対して前記検索操作を行い、前記第１、第２、第３、および第４の推定の効率係数に基づいて効率係数を得るステップは、
前記推定の消費電力量が前記複数の参照消費電力量の中の第１の参照消費電力量と第２の参照消費電力量の間にあり、前記第２の参照消費電力量が前記第１の参照消費電力量より大きいことを判定するステップ、
前記環境温度が前記複数の参照環境温度の中の第１の参照環境温度と第２の参照環境温度の間にあり、前記第１の参照環境温度が前記第２の参照環境温度より高いことを判定するステップ、
前記データベースに対して前記検索操作を行い、前記第１の参照消費電力量および前記第１の参照環境温度に対応する前記参照効率係数を見つけ、前記第１の推定の効率係数としてサーブし、且つ前記第２の参照消費電力量および前記第１の参照環境温度に対応する参照効率係数を見つけ、前記第２の推定の効率係数としてサーブするステップ、および
前記データベースに対して前記検索操作を行い、前記第１の参照消費電力量および前記第２の参照環境温度に対応する前記参照効率係数を見つけ、前記第３の推定の効率係数としてサーブし、且つ前記第２の参照消費電力量および前記第２の参照環境温度に対応する参照効率係数を見つけ、前記第４の推定の効率係数としてサーブするステップを含む請求項７に記載の測定方法。
【請求項９】
前記第１、第２、第３、および第４の推定の効率係数に基づいて前記効率係数を計算するステップは、
その中のＰが推定の消費電流量を表し、Ｐｆ１は第１の参照消費電力量を表し、前記処理器が前記第１の中間値を計算する時、ρ１は第１の推定の効率係数を表し、ρ２は前記第２の推定の効率係数を表し、且つ前記処理器が前記第２の中間値の効率係数を計算する時、ρ１は第３の推定の効率係数を表し、ρ２は前記第４の推定の効率係数を表す、ρ＝ρ１＋（ρ２−ρ１）×（Ｐ−Ｐｆ１）に基づいて第１の中間値の効率係数および中間値の効率係数を計算するステップ、および
その中のρｒｅａｌが前記効率係数を表し、ρｔｆ１は、前記第１の中間値の効率係数を表し、ρｔｆ２は、前記第２の中間値の効率係数を表し、Ｔｆ１は、前記第１の参照環境温度を表し、Ｔｆ２は、第２の参照環境温度を表し、且つＴは、環境温度を表す、ρｒｅａｌ＝（ρｔｆ１＋ρｔｆ２）×（Ｔｆ１−Ｔ）／（Ｔｆ１−Ｔｆ２）に基づいて前記効率係数を計算するステップを含み、且つ
前記効率係数および前記推定の消費電力量に基づいて前記実際の消費電力量を計算するステップは、
その中のＰｒｅａｌが前記実際の消費電力量を表す、Ｐｒｅａｌ＝Ｐ／ρｒｅａｌに基づいて前記実際の消費電力量を計算するステップを含む請求項８に記載の測定方法。
【請求項１０】
測定方法であって、
交流（ＡＣ）電源を提供するステップ、
前記ＡＣ電源を直流（ＤＣ）電源に変換するステップ、
前記ＤＣ電源を検出し、電圧値および電流値を生成するステップ、
環境温度を感知するステップ、
前記電圧値および前記電流値に基づいて推定の消費電力量を計算するステップ、
前記推定の消費電流量および環境温度に基づいてデータベースに対して検索操作を行い、前記データベースが複数の参照消費電力量、複数の参照環境温度、および複数の参照効率係数を保存し、前記参照消費電力量の１つおよび前記参照環境温度の１つは、前記参照効率係数の１つに共同して対応するステップ、
前記データベースに対する検索操作に基づいて、前記推定の消費電力量が前記複数の参照消費電力量の中の第１の参照消費電力量と第２の参照消費電力量の間にあり、前記第２の参照消費電力量が前記第１の参照消費電力量より大きいことを判定するステップ、
前記データベースに対する検索操作に基づいて、前記環境温度が前記複数の参照環境温度の中の第１の参照環境温度と第２の参照環境温度の間にあり、前記第１の参照環境温度が前記第２の参照環境温度より高いことを判定するステップ、
前記データベースに対して前記検索操作を行い、前記第１の参照消費電力量および前記第１の参照環境温度に対応する前記参照効率係数を見つけ、第１の推定の効率係数としてサーブし、且つ前記第２の参照消費電力量および前記第１の参照環境温度に対応する参照効率係数を見つけ、第２の推定の効率係数としてサーブするステップ、
前記データベースに対して前記検索操作を行い、前記第１の参照消費電力量および前記第２の参照環境温度に対応する前記参照効率係数を見つけ、第３の推定の効率係数としてサーブし、且つ前記第２の参照消費電力量および前記第２の参照環境温度に対応する参照効率係数を見つけ、第４の推定の効率係数としてサーブするステップ、
その中のＰが推定の消費電流量を表し、Ｐｆ１は第１の参照消費電力量を表し、前記処理器が前記第１の中間値を計算する時、ρ１は第１の推定の効率係数を表し、ρ２は前記第２の推定の効率係数を表し、且つ前記処理器が前記第２の中間値の効率係数を計算する時、ρ１は第３の推定の効率係数を表し、ρ２は前記第４の推定の効率係数を表す、ρ＝ρ１＋（ρ２−ρ１）×（Ｐ−Ｐｆ１）に基づいて第１の中間値の効率係数および中間値の効率係数を計算するステップ、
その中のρｒｅａｌが前記効率係数を表し、ρｔｆ１は、前記第１の中間値の効率係数を表し、ρｔｆ２は、前記第２の中間値の効率係数を表し、Ｔｆ１は、前記第１の参照環境温度を表し、Ｔｆ２は、第２の参照環境温度を表し、且つＴは、環境温度を表す、ρｒｅａｌ＝（ρｔｆ１＋ρｔｆ２）×（Ｔｆ１−Ｔ）／（Ｔｆ１−Ｔｆ２）に基づいて前記効率係数を計算するステップ、および
その中のＰｒｅａｌが前記実際の消費電力量を表す、Ｐｒｅａｌ＝Ｐ／ρｒｅａｌに基づいてＡＣ電源に対する実際の消費電力量を計算するステップを含む測定方法。
【発明の詳細な説明】
【技術分野】
【０００１】
本発明は、測定装置および方法に関し、特に、消費電力の測定装置および方法に関するものである。
【背景技術】
【０００２】
図１は、消費電力測定を有する従来の電子機器を表している。図１を参照すると、電子機器１は、消費電力監視モジュール１０、パワーモジュール１１、隔離保護ユニット１２、処理ユニット１３、および温度センサ１４を含む。消費電力監視モジュール１０は、外部交流（ＡＣ）電源ＶＡＣを検出し、外部ＡＣ電源ＶＡＣに対する電子機器１の消費電力を得て、処理ユニット１３に対応の監視信号Ｓ１０を生成する。また、パワーモジュール１１は、外部ＡＣ電源ＶＡＣも受け、ＡＣ電源ＶＡＣにＡＣ−ＤＣ変換動作および降圧変換を行い、１２ＶのＡＣ電源などの直流（ＤＣ）電源ＶＤＣを生成する。ＤＣ電源は、システム回路板１５に提供され、システム回路板１５上の素子が素子の動作電圧に基づいて動作する。
【０００３】
上述により、消費電力監視モジュール１０は、高圧側に配置され、消費電力監視モジュール１０から監視信号Ｓ１０を受ける処理ユニット１３は、低圧側に配置される。電子機器の高圧側で測定された消費電力は、比較的正確な消費電力量（ｖａｌｕｅ）を得るのに用いられることができる。電気ショックまたは正常でない状態が高圧側に発生した時に、処理ユニット１３へのダメージを回避するために、隔離保護ユニット１２が消費電力監視モジュール１０と処理ユニット１３との間に付加的に配置される。これは、電子機器１の全体のサイズを増加させる。また、高圧素子が電子機器１に用いられるため、電子機器１は、大きな容量空間を有し、電子機器１の全体のサイズと製造コストを増加させる。
【発明の概要】
【発明が解決しようとする課題】
【０００４】
そこで、本発明は、消費電力の測定装置および方法を提供する。
【課題を解決するための手段】
【０００５】
測定装置の例示的な実施形態が提供される。測定装置は、電源制御器、検出器、温度センサ、および処理器を含む。電源制御器は、交流（ＡＣ）電源を受け、ＡＣ電源を直流（ＤＣ）電源に変換する。検出器は、ＤＣ電源を検出し、電圧値および電流値を生成する。温度センサは、測定装置の環境温度を感知する。処理器は、電圧値、電流値、および環境温度を読み取り、電圧値、電流値、および環境温度に基づいて電源制御器の効率係数を得る。処理器は、効率係数に基づいてＡＣ電源に対応する実際の消費電力量を更に得る。
【０００６】
測定方法の１つの例示的な実施形態が提供される。測定方法は、電子機器の消費電力量を測定するのに行われる。電子機器は、交流（ＡＣ）電源から変換された直流（ＤＣ）電源によって作動される。測定方法は、ＤＣ電源を検出し、電圧値および電流値を生成するステップ、環境温度を感知するステップ、電圧値、電流値、および環境温度に基づいて効率係数を得るステップ、および効率係数に基づいてＡＣ電源に対する実際の消費電力量を得るステップを含む。
【０００７】
測定方法のもう１つの例示的な実施形態が提供される。測定方法は、交流（ＡＣ）電源を提供するステップ、ＡＣ電源を直流（ＤＣ）電源に変換するステップ、ＤＣ電源を検出し、電圧値および電流値を生成するステップ、環境温度を感知するステップ、および電圧値および電流値に基づいて推定の消費電力量を計算するステップを含む。
【０００８】
測定方法は、推定の消費電力量および環境温度に基づいて、データベースに対して検索操作を行うステップも含む。データベースは、複数の参照消費電力量、複数の参照環境温度、および複数の参照効率係数を保存し、参照消費電力量の１つおよび参照環境温度の１つは、参照効率係数の１つに共同して対応する。
【０００９】
測定方法は、データベースに対する検索操作に基づいて、推定の消費電力量が複数の参照消費電力量の中の第１の参照消費電力量と第２の参照消費電力量の間にあることを判定するステップを更に含む。第２の参照消費電力量は、第１の参照消費電力量より大きい。
【００１０】
測定方法は、データベースに対する検索操作に基づいて、環境温度が複数の参照環境温度の中の第１の参照環境温度と第２の参照環境温度の間にあることを判定するステップを含む。第１の参照環境温度は、第２の参照環境温度より高い。
【００１１】
測定方法は、データベースに対して検索操作を行い、第１の参照消費電力量および第１の参照環境温度に対応する参照効率係数を見つけ、第１の推定の効率係数としてサーブし、且つ第２の参照消費電力量および第１の参照環境温度に対応する参照効率係数を見つけ、第２の推定の効率係数としてサーブするステップ、およびデータベースに対して検索操作を行い、第１の参照消費電力量および第２の参照環境温度に対応する参照効率係数を見つけ、第３の推定の効率係数としてサーブし、且つ第２の参照消費電力量および第２の参照環境温度に対応する参照効率係数を見つけ、第４の推定の効率係数としてサーブするステップも含む。
【００１２】
測定方法は、ρ＝ρ１＋（ρ２−ρ１）×（Ｐ−Ｐｆ１）に基づいて第１の中間値の効率係数および中間値の効率係数を計算するステップを更に含む。Ｐは、推定の消費電流量を表し、Ｐｆ１は第１の参照消費電力量を表し、処理器が第１の中間値の効率係数を計算する時、ρ１は第１の推定の効率係数を表し、ρ２は第２の推定の効率係数を表し、且つ処理器が第２の中間値の効率係数を計算する時、ρ１は第３の推定の効率係数を表し、ρ２は第４の推定の効率係数を表している。
【００１３】
また、測定方法は、ρｒｅａｌ＝（ρｔｆ１＋ρｔｆ２）×（Ｔｆ１−Ｔ）／（Ｔｆ１−Ｔｆ２）に基づいて効率係数を計算するステップを含む。ρｒｅａｌは、効率係数を表し、ρｔｆ１は、第１の中間値の効率係数を表し、ρｔｆ２は、第２の中間値の効率係数を表し、Ｔｆ１は、第１の参照環境温度を表し、Ｔｆ２は、第２の参照環境温度を表し、且つＴは、環境温度を表している。
【００１４】
また、測定方法は、Ｐｒｅａｌ＝Ｐ／ρｒｅａｌに基づいてＡＣ電源に対する実際の消費電力量を計算するステップを含む。Ｐｒｅａｌは、実際の消費電力量を表している。
【００１５】
詳細な説明は、添付の図面と併せて以下の実施形態に説明される。
【００１６】
本発明によれば、電子機器のサイズおよび製造コストを減少することができる。
【００１７】
本発明は、添付の図面と併せて後に続く詳細な説明と実施例を解釈することによって、より完全に理解されることができる。なお、図４ａと図４ｂは１つの長いフローチャートを２つに分けたものである。図４ａの続きが図４ｂとなる。
【図面の簡単な説明】
【００１８】
【図１】消費電力測定を有する従来の電子機器を表している。
【図２】本発明の消費電力測定装置を有する電子機器の例示的な実施形態を表している。
【図３】図２の電子機器のデータベースの参照消費電力量、参照環境温度、および参照効率係数間の関係を表している。
【図４ａ】測定方法の１つの例示的な実施形態のフローチャートを表している。
【図４ｂ】測定方法の１つの例示的な実施形態のフローチャートを表している。
【図５】測定方法のもう１つの例示的な実施形態のフローチャートを表している。
【発明を実施するための形態】
【００１９】
以下の説明は、本発明を実施するベストモードが開示されている。この説明は、本発明の一般原理を例示する目的のためのもので本発明を限定するものではない。本発明の範囲は、添付の請求の範囲を参考にして決定される。
【００２０】
図２の電子機器の例示的な実施形態では、電子機器２は、電源制御器２０、電流電圧検出器２１、温度センサ２２、処理器２３、および表示機２４を含む。測定装置２６は、電源制御器２０、電流電圧検出器２１、温度センサ２２、および処理器２３で構成される。電流電圧検出器２１、温度センサ２２、および処理器２３は、システム回路板２５上に配置される。電源制御器２０は、外部交流（ＡＣ）電源ＶＡＣを受ける。電源制御器２０は、ＡＣ電源ＶＡＣにＡＣ−ＤＣ変換動作および降圧変換を行い、直流（ＤＣ）電源ＶＤＣを生成する。実施形態では、ＡＣ電源ＶＡＣの電圧は、１２０Ｖであり、ＤＣ電源ＶＤＣの電圧は、１２Ｖである。よって、電流電圧検出器２１は、低電圧側に配置される。電流電圧検出器２１は、ＤＣ電源ＶＤＣを検出し、対応の電圧値Ｖおよび対応の電流値Ｉを生成する。温度センサ２２は、測定装置２６の環境温度Ｔを感知する。実施形態では、測定装置２６の環境温度Ｔは、電子機器２の動作温度に関連する。
【００２１】
処理器２３は、電流電圧検出器２１から電圧値Ｖおよび電流値Ｉを読み取り、温度センサ２２から環境温度Ｔを読み取る。処理器２３は、電圧値Ｖ、電流値Ｉ、および環境温度Ｔに基づいて効率係数ρｒｅａｌを得て、電子機器１のＡＣ電源ＶＡＣに対する電子機器１の実際の消費電力量Ｐｒｅａｌを得る。
【００２２】
本実施形態では、電子機器１は、データベース２７を含む。データベース２７は、例えば不揮発性メモリデバイスなどのデータを保存するメモリデバイス、およびデータを保存するデバイスであることができる。データベース２７は、複数の参照消費電力量Ｐｆ、複数の参照環境温度Ｔｆ、および複数の参照効率係数ρｆを保存する。参照消費電力量の１つおよび参照環境温度の１つは、参照効率係数の１つに共同して対応する。図３は、参照消費電力量Ｐｆ、参照環境温度Ｔｆ、および参照効率係数ρｆ間の関係を表している。図３では、７つの参照消費電力量Ｐｆ（１６Ｗ、１７Ｗ、１８Ｗ、１９Ｗ、２０Ｗ、２１Ｗ、および２２Ｗ）および２つの参照環境温度Ｔｆ（−１０℃、２０℃、および５０℃）が例として提供される。各参照消費電力量Ｐｆは、３つの異なる参照環境温度Ｔｆにおいて、３つの異なる参照効率係数ρｆにそれぞれ対応する。
【００２３】
詳細に言えば、処理器２３は、（数１）を用いて電圧値Ｖおよび電流値Ｉに基づいて推定の消費電流量Ｐを計算する。
【数１】
2013221944.tif 000003
【００２４】
処理器２３は、推定の消費電流量Ｐおよび環境温度Ｔに基づいてデータベース２７に対して検索操作を行う。検索操作中、処理器２３は、推定の消費電流量Ｐが２つの参照消費電力量Ｐｆ１とＰｆ２の間にあり、環境温度Ｔが２つの参照環境温度Ｔｆ１とＴｆ２の間にあることを判定する。本実施形態では、参照消費電力量Ｐｆ２は、参照消費電力量Ｐｆ１より大きく、参照環境温度Ｔｆ１が参照環境温度Ｔｆ２より高い。参照消費電力量Ｐｆ１とＰｆ２および参照環境温度Ｔｆ１とＴｆ２を得た後、処理器２３は、データベース２７に対して検索操作を行い、参照環境温度Ｔｆ１で参照消費電力量Ｐｆ１に対応する１つの参照効率係数ρ１を見つけ、推定の効率係数としてサーブし、且つ参照環境温度Ｔｆ１で参照消費電力量Ｐｆ２に対応する１つの参照効率係数を見つけ、推定の効率係数ρ２としてサーブする。
【００２５】
参照環境温度Ｔｆ１で効率係数ρ１とρ２を得た後、処理器２３は、（数２）に基づいて参照環境温度Ｔｆ１に対応する中間値の効率係数ρｔｆ１を計算する。
【数２】
2013221944.tif 000004
【００２６】
次いで、処理器２３は、データベース２７に対して検索操作を行い、参照環境温度Ｔｆ２で参照消費電力量Ｐｆ２に対応する１つの参照効率係数を見つけ、推定の効率係数ρ１としてサーブし、且つ参照環境温度Ｔｆ１で参照消費電力量Ｐｆ２に対応する１つの参照効率係数を見つけ、推定の効率係数ρ２としてサーブする。
【００２７】
参照環境温度Ｔｆ２で推定の効率係数ρ１とρ２を得た後、処理器２３は、（数２）に基づいて参照環境温度Ｔｆ２に対応する中間値の効率係数ρｔｆ２を計算する。
【００２８】
中間値の効率係数ρｔｆ１とρｔｆ２を得た後、処理器２３は、（数３）に基づいて効率係数ρｒｅａｌを得る。
【数３】
2013221944.tif 000005
【００２９】
その後、処理器２３は、（数４）を用いて推定の消費電力量Ｐおよび効率係数ρｒｅａｌに基づいて実際の消費電力量Ｐｒｅａｌを計算する。
【数４】
2013221944.tif 000006
【００３０】
以下の例が説明用に提供される。（数１）を用いて電圧値Ｖおよび電流値Ｉに基づいて、処理器２３によって計算された推定の消費電力量Ｐは、１９.５Ｗ（Ｐ＝１９.５Ｗ）と等しく、且つ温度センサ２２によって感知された環境温度Ｔは、５℃（Ｔ＝５℃）と等しい。処理器２３は、推定の消費電力量Ｐが参照消費電力量１９Ｗ（Ｐｆ１＝１９Ｗ）と２０Ｗ（Ｐｆ２＝２０Ｗ）の間にあり、環境温度Ｔが参照環境温度２０℃（Ｔｆ１＝２０℃）と−１０℃（Ｔｆ２＝−１０℃）の間にあることを判定する。次いで、処理器２３は、データベース２７に対して検索操作を行い、参照環境温度２０℃（Ｔｆ１）で、参照消費電力量１９Ｗ（Ｐｆ１）に対応して、参照効率係数９５％を得て、推定の効率係数ρ１（ρ１＝９５％）としてサーブし、且つ参照環境温度２０℃（Ｔｆ１）で、参照消費電力量２０Ｗ（Ｐｆ２）に対応して、参照効率係数９４.５％を得て、推定の効率係数ρ２（ρ２＝９４.５％）としてサーブする。また、プロセッサ２３は、（数２）を用いて参照環境温度２０℃（Ｔｆ１）で推定の効率係数ρ１とρ２に基づいて、参照環境温度２０℃（Ｔｆ１）に対応する０.９４７５（ρｔｆ１＝０.９４７５）と等しい中間値の効率係数ρｔｆ１を計算する。処理器２３は、データベース２７に対して検索操作を行い、参照環境温度２０℃（Ｔｆ１）で、参照消費電力量１９Ｗ（Ｐｆ１）に対応して、参照効率係数９３.５％を得て、推定の効率係数ρ１（ρ１＝９３.５％）としてサーブし、且つ参照環境温度−１０℃（Ｔｆ１）で、参照消費電力量２０Ｗ（Ｐｆ２）に対応して、参照効率係数９３％を得て、推定の効率係数ρ２（ρ２＝９３％）としてサーブする。また、プロセッサ２３は、（数２）を用いて参照環境温度−１０℃（Ｔｆ２）で推定の効率係数ρ１とρ２に基づいて、参照環境温度−１０℃（Ｔｆ２）に対応する０.９３２５（ρｔｆ２＝０.９３２５）と等しい中間値の効率係数ρｔｆ２を計算する。次いで、処理器２３は、（数４）を用いて推定の消費電力量Ｐ（Ｐ＝１９.５Ｗ）および効率係数（ρｒｅａｌ＝０.９４９）に基づいて、２０.５４７Ｗ（Ｐｒｅａｌ＝２０.５４７Ｗ）と等しい実際の消費電力量を計算する。
【００３１】
上述の実施形態に基づいて、測定装置２６は、電子機器１の実際の消費電力量Ｐｒｅａｌを測定することができる。実際の消費電力量Ｐｒｅａｌが得られた後、実際の消費電力量Ｐｒｅａｌは、表示器２４に表示されることができ、ユーザーに消費電力の管理を行うことができるように指示する。また、測定装置２６では、電流電圧検出器２１および処理器２３の両方は、低電圧側に配置される。よって、消費電力を監視するのに用いられる電流電圧検出器２１は、大きなサイズおよび高コストの高圧素子に組み込まれず、隔離保護ユニットは、電流電圧検出器２１と処理器２３との間に配置される必要がないため、電子機器２のサイズおよび製造コストを減少することができる。
【００３２】
上述の実施形態では、処理器２３は、データベース２７に対して検索操作を行い、推定の効率係数ρ１とρ２を見つけ、次いで、（数２）〜（数４）に基づいて実際の消費電力量Ｐｒｅａｌを得る。他の実施形態では、データベース２７のサンプル密度は、十分小さいことができ、即ち、データベース２７の参照消費電力量Ｐｆの数、参照環境温度Ｔｆの数、および参照効率係数ρｆの数は、十分大きいことができる。この場合、処理器２３は、推定の消費電力量Ｐと環境温度Ｔに基づいて、データベース２７に対して検索操作を行い、効率係数ρｒｅａｌを直接得ることができる。次いで、処理器２３は、（数４）を用いて推定の消費電力量Ｐと効率係数ρｒｅａｌに基づいて実際の消費電力量Ｐｒｅａｌを計算する。
【００３３】
図４（図４ａ、ｂ）は、電子機器の消費電力を測定する測定方法の１つの例示的な実施形態のフローチャートを表している。以下、図１〜４を参照に測定方法が説明される。電子機器２は、ＡＣ電源から変換されたＤＣ電力によって作動する。例えば、ＡＣ電源ＶＡＣは、電源制御器２０に提供されることができ（ステップＳ４０）、電源制御器２０は、ＡＣ−ＤＣ変換動作および降圧変換を行い、ＡＣ電源ＶＡＣをＤＣ電源ＶＤＣに変換し（ステップＳ４１）、電子機器２を作動させる。ＤＣ電源によってＡＣ電源に作動される電子機器２の実際の消費電力電圧を測定するステップは、以下に説明される。図４（図４ａ）に示されるように、電流電圧検出器２１は、ＤＣ電源ＶＤＣを検出し、電圧値Ｖと電流値Ｉを生成する（ステップＳ４２）。この時、温度センサ２２は測定装置２６の環境温度Ｔ（即ち電子機器２の動作温度）も感知する（ステップＳ４３）。実施形態では、ステップＳ４２とＳ４３の順序は例である。他の実施形態では、ステップＳ４３が先に行われ、次いでステップＳ４２がステップＳ４３の後に行われることができる。
【００３４】
ユーザーが電子機器１の消費電力を知りたい時、処理器２３は、電流電圧検出器２１から電圧値Ｖと電流値Ｉを読み込み、（数１）に基づいて推定の消費電力値Ｐを計算する（ステップＳ４４）。この時、処理器２３は、温度センサ２２から環境温度Ｔも読み込む（ステップＳ４５）。実施形態では、ステップＳ４４とＳ４５の順序は例である。他の実施形態では、ステップＳ４５が先に行われ、次いでステップＳ４４がステップＳ４５の後に行われることができる。
【００３５】
この後、処理器２３は、推定の消費電流量Ｐが２つの参照消費電力量Ｐｆ１とＰｆ２の間にあることを判定する（ステップＳ４６）。処理器２３は、環境温度Ｔが２つの参照環境温度Ｔｆ１とＴｆ２の間にあることを判定する（ステップＳ４７）。実施形態では、ステップＳ４６とＳ４７の順序は例である。他の実施形態では、ステップＳ４７が先に行われ、次いでステップＳ４６がステップＳ４７の後に行われることができる。
【００３６】
参照消費電力量Ｐｆ１とＰｆ２および参照環境温度Ｔｆ１とＴｆ２を得た後、ステップＳ４８が実行される。ステップＳ４８では、処理器２３は、データベース２７に対して検索操作を行い、参照環境温度Ｔｆ１で参照消費電力量Ｐｆ１に対応する１つの参照効率係数を見つけ、推定の効率係数ρ１としてサーブし、且つ参照環境温度Ｔｆ１で参照消費電力量Ｐｆ２に対応する１つの参照効率係数も見つけ、推定の効率係数ρ２としてサーブする。また、ステップＳ４８では、処理器２３は、データベース２７に対して検索操作を行い、参照環境温度Ｔｆ２で参照消費電力量Ｐｆ１に対応する１つの参照効率係数を見つけ、推定の効率係数ρ１としてもサーブし、且つ参照環境温度Ｔｆ２で参照消費電力量Ｐｆ２に対応する１つの参照効率係数も見つけ、推定の効率係数ρ２としてもサーブする。
【００３７】
次いで、処理器２３は、（数２）を用いて参照環境温度Ｔｆ１とＴｆ２で各々の推定の効率係数ρ１とρ２に基づいて、参照環境温度Ｔｆ１に対応する中間値の効率係数ρｔｆ１を計算し、且つ参照環境温度Ｔｆ２に対応する中間値の効率係数ρｔｆ２を計算する（ステップＳ４９）。
【００３８】
この後、処理器２３は、（数３）を用いて中間値の効率係数ρｔｆ１とρｔｆ２に基づいて、効率係数ρｒｅａｌを計算する（ステップＳ５０）。また、処理器２３は、（数４）を用いて推定の消費電力量Ｐおよび効率係数ρｒｅａｌに基づいて実際の消費電力量Ｐｒｅａｌを計算する（ステップＳ５１）。実際の消費電力量Ｐｒｅａｌを得た後、実際の消費電力量Ｐｒｅａｌは、表示器２４に表示されることができ（ステップＳ５２）、ユーザーに消費電力の管理を行うことができるように指示する。
【００３９】
データベース２７に保存されたデータ量が十分大きい時、測定方法のもう１つの例示的な実施形態が用いられる。効率係数ρｒｅａｌは、データベース２７に対して検索操作を行うことで直接得られることができ、実際の消費電力量Ｐｒｅａｌは、迅速に計算されることができる。図６を参照すると、実施形態のステップＳ６０〜Ｓ６５は、図４（図４ａ）のステップＳ４０〜Ｓ４５と同じであるため、関連の説明は省略する。推定の消費電力量Ｐを得て、環境温度Ｔを読み込んだ後、処理器２３は、データベース２７に対して検索操作を行い、効率係数ρｒｅａｌを直接得る（ステップＳ６６）。次いで、処理器２３は、（数４）を用いて推定の消費電力量Ｐと効率係数ρｒｅａｌに基づいて実際の消費電力量Ｐｒｅａｌを計算する（ステップＳ６７）。実際の消費電力量Ｐｒｅａｌを得た後、実際の消費電力量Ｐｒｅａｌは、表示器２４に表示されることができ（ステップＳ６８）、ユーザーに消費電力の管理を行うことができるように指示する。
【００４０】
上述の実施形態に基づいて、測定方法が行われ、ＤＣ電源ＶＤＣの電圧値Ｖと電流値Ｉを測定し、且つ環境温度Ｔの効果を考慮することでＤＣ電源ＶＤＣに対する消費電力量Ｐを得る。この後、処理器２３は、電源制御器２０の効率係数ρｒｅａｌを計算し、ＡＣ電源ＶＡＣに対する消費電力量Ｐｒｅａｌを計算する。よって、ＡＣ電源ＶＡＣに対する消費電力量Ｐｒｅａｌは、小さなサイズおよび低コストの測定装置２６によって正確に測定されることができる。
【００４１】
この発明は、実施例の方法及び望ましい実施の形態によって記述されているが、本発明は、これらを限定するものではないことは理解される。逆に、種々の変更及び同様の配置をカバーするものである（当業者には明白なように）。よって、添付の請求の範囲は、最も広義な解釈が与えられ、全てのこのような変更及び同様の配置を含むべきである。
【符号の説明】
【００４２】
１  電子機器
１０  消費電力監視モジュール
１１  パワーモジュール
１２  隔離保護ユニット
１３  処理ユニット
１４  温度センサ
１５  システム回路板
Ｓ１０  監視信号
ＶＡＣ  外部ＡＣ電源
ＶＤＣ  直流（ＤＣ）電源
２  電子機器
２０  電源制御器
２１  電流電圧検出器
２２  温度センサ
２３  処理器
２４  表示機
２５  システム回路板
２６  測定装置
２７  データベース
Ｉ  電流値
Ｔ  環境温度
Ｖ  電圧値
ρ１、ρ２  推定の効率係数
ρｒｅａｌ  効率係数
Ｐｆ、Ｐｆ１、Ｐｆ２  参照消費電力量
Ｔｆ、Ｔｆ１、Ｔｆ２  参照環境温度
ＶＡＣ  外部交流（ＡＣ）電源
ＶＤＣ  直流電源
ρｆ  推定の効率係数
【図１】
2013221944.tif 000007
【図２】
2013221944.tif 000008
【図３】
2013221944.tif 000009
【図４ａ】
2013221944.tif 000010
【図４ｂ】
2013221944.tif 000011
【図５】
2013221944.tif 000012